(57)【要約】  本発明は、光ファイバケーブルコンタクト（１）に関し、光ファイバケーブルコンタクト（１）は、長手方向の自由端部（１０）に熱形成領域（１００）を有し、かつ、前記熱形成領域から離れた前記光ファイバケーブルコンタクトの中央領域（１１）においての熱バリア領域（１１０）を備え、前記熱バリア領域は、前記熱バリア領域の前記熱形成領域ではない側に、熱が熱形成領域１００から前記光ファイバケーブルコンタクトの一部に伝送することを防止するように構成されている。【選択図】図３
2011503655.tif 000002
【特許請求の範囲】
【請求項１】
光ファイバケーブルコンタクト（１）であって、
長手方向の自由端部（１０）に熱形成領域（１００）を有し、かつ、前記熱形成領域から離れた前記光ファイバケーブルコンタクトの中央領域（１１）においての熱バリア領域（１１０）を備え、
前記熱バリア領域は、前記熱バリア領域の前記熱形成領域ではない側に、熱が熱形成領域１００から前記光ファイバケーブルコンタクトの一部に伝送することを防止するように構成されていることを特徴とする光ファイバケーブルコンタクト。
【請求項２】
前記熱バリア領域は、前記熱形成領域に近接、好適には直接的に近接して、前記光ファイバケーブルコンタクト内または表面に備えられることを特徴とする請求項１に記載の光ファイバケーブルコンタクト。
【請求項３】
前記熱バリア領域は、前記光ファイバケーブルコンタクト１内または表面の、少なくとも部分的な周囲の熱停止溝であるとして構成されることを特徴とする請求項１または２に記載の光ファイバケーブルコンタクト。
【請求項４】
前記熱バリア領域の一部で前記光ファイバケーブルコンタクトの壁厚（ｄ）が、前記熱バリア領域に直接近接した部分における前記光ファイバケーブルコンタクトの壁厚（Ｄ）よりも、約２０〜３０％、好適には約３５〜４０％、特に好適には約４５〜５０％、特にさらに好適には約５０〜５５％、最も好適には約７０〜８０％の薄さであることを特徴とする請求項１から３のいずれか１項に記載の光ファイバケーブルコンタクト。
【請求項５】
完全に周囲の肩（１１２）が、前記光ファイバケーブルコンタクト内または上において、前記熱形成領域１００と前記熱バリア領域との間に形成されることを特徴とする請求項１から４のいずれか１項に記載の光ファイバケーブルコンタクト。
【請求項６】
前記熱バリア領域は、前記光ファイバケーブルコンタクト内または表面において、前記光ファイバケーブルコンタクトの前記熱形成領域とケース圧着領域（１４０）との間に形成されることを特徴とする請求項１から５のいずれか１項に記載の光ファイバケーブルコンタクト。
【請求項７】
前記光ファイバケーブルコンタクトは、複数の熱バリア領域（１１０）を備えることを特徴とする請求項１から６のいずれか１項に記載の光ファイバケーブルコンタクト。
【請求項８】
前記光ファイバケーブルコンタクトは、特には旋削部、鋳造部や曲げ部として、一体的に、好適には材料的に一体的に構成されることを特徴とする請求項１から７のいずれか１項に記載の光ファイバケーブルコンタクト。
【請求項９】
前記光ファイバケーブルコンタクトは、ＭＯＳＴ規格と互換の外形を備えることを特徴とする請求項１から８のいずれか１項に記載の光ファイバケーブルコンタクト。
【請求項１０】
前記光ファイバケーブルコンタクトは、前記長手方向の自由端部にスリーブ（１５０）を備えることを特徴とする請求項１から９のいずれか１項に記載の光ファイバケーブルコンタクト。
【請求項１１】
自動車のアプリケーション用の光ファイバケーブルコネクタであって、
好適にはプラスチック製ハウジングであるハウジング（３）と、
前記ハウジング（３）に収容された請求項１から１０のいずれか１項記載の光ファイバケーブルコンタクト（１）と、を含む光ファイバケーブルコネクタ。
【請求項１２】
自動車のアプリケーション用の既製品の光ファイバケーブルであって、
請求項１から１０のいずれか１項記載の光ファイバケーブルコンタクト（１）および請求項１１に記載の光ファイバケーブルコネクタのどちらかと、前記光ファイバケーブルコンタクトまたは前記光ファイバケーブルコネクタに接続された光ファイバケーブル（２）とからなる光ファイバケーブル。
【発明の詳細な説明】
【技術分野】
【０００１】
本発明は、光ファイバケーブルコネクタに関する。本発明は、さらに本発明に係る光ファイバケーブルコンタクトを含む光ファイバケーブルコネクタに関する。さらには、本発明は、特に自動車用の光ファイバケーブルコネクタ、および、本発明に係る光ファイバケーブルコンタクトを備える既製品の光ファイバケーブルに関する。
【背景技術】
【０００２】
対応する接続点を経由して、光ファイバまたは光ファイバケーブルを受信機または他の光ファイバケーブルへ光接続するために、一本の光ファイバまたは光ファイバ束が配置された光ファイバコネクタが設けられる。この光ファイバケーブルコネクタは、対応する光ファイバケーブルコネクタと接続可能なように構成されている。結果として、光ファイバケーブルに配置されている、光ファイバまたは光ファイバ束（以下、光ファイバ束のみについて述べるが、「光ファイバ束」には光ファイバも含まれる）は、受信機または他の光ファイバまたは他の光ファイバ束の光コンタクトに接触するために集合体とされる。
【０００３】
光ファイバ束と、受信機または他の光ファイバ束との間の光表面接触による損失（低減衰）を最小限にするために、光ファイバ束の端面は、可能な限り平坦とされる。材料によっては、研磨の間に強化スリーブが光ファイバ束の端部に備えられる必要がある。研磨の間に、光ファイバ束の自由端部が金属スリーブと共に平坦になるよう接地／研磨されるように、特に強化スリーブは金属スリーブから製造される。このことは、特にガラス製の光ファイバ束で実施される。
【０００４】
金属スリーブは、金属スリーブとそれぞれの光ファイバ束の長手方向の端部を、光ファイバ束に使用される材料の形成温度まで加熱することによって、光ファイバ束に固定される。さらに、機械力が金属スリーブおよび光ファイバ束の長手方向の端部へ作用する。結果として、個別の光ファイバを一集合体に熱形成する間、金属スリーブおよび光ファイバ束の長手方向の端部は、六角形（角柱状）から円（円筒状）の断面となるようにプレスされる。金属スリーブは、好適には、後の研磨が可能なように、光ファイバ束の長手方向の端部と固定接続を形成する。
【発明の概要】
【発明が解決しようとする課題】
【０００５】
対応要素（受信機／送信機、光ファイバケーブル）へ光ファイバ束を光接続するために、プラグインコネクタを有する光ファイバケーブルコネクタ内に光ファイバを備える必要がある。金属スリーブとは別にされているハウジングが金属スリーブと光ファイバ束の被覆材の両方を覆わなければならないので、製造的観点から、コネクタハウジング内に光ファイバケーブルを配置することはかなり複雑となる。それゆえに、被覆材は、光ファイバケーブルコネクタへの接続前に、まず金属スリーブへ接続されるべきである。
【０００６】
金属スリーブへ光ファイバケーブルコンタクトの被覆材を機械的に接続するために、現状では、複数部材のコネクタ用光ファイバケーブルコンタクトが必要である。集合体が金属スリーブと光ファイバ束の長手方向の端部で形成される際、一部材の光ファイバケーブルコンタクトは、高温下で被覆材を破壊する可能性がある。
【０００７】
ドイツ特許出願公開１０２００５０４３７８７号明細書には、光ファイバケーブルに接続用の３部材からなる光ファイバケーブルコンタクトが開示されている。長手方向の端部の光ファイバ束は、集合体を形成するために、金属スリーブとともに熱プレスされ、その後、一集合体は、光ファイバケーブルコンタクトのコンタクト要素内に受容される。さらに、クランプ要素は、コンタクト要素の丁度後ろに配置された部分において、光ファイバ束の被覆材をコンタクト要素へクランプさせる。
【０００８】
本発明の目的は、改善された光ファイバケーブルコネクタの提供である。さらに、本発明の目的は、改善された光ファイバケーブルコネクタと、改善された本発明に係る光ファイバケーブルコンタクトからなる既製品の光ファイバケーブルの提供である。
【課題を解決するための手段】
【０００９】
本発明に係る光ファイバケーブルコンタクトは、従来品よりも少ない部品数で製造できる。好適には、熱形成領域と光ファイバ束の被覆材の固定用領域との両方は、単一要素上、特には光ファイバケーブルコンタクト自体上に備えられることが可能とされる。熱形成領域は、光ファイバ束の長手方向の端部を固定するために備えられる。さらに、可能な限り迅速、簡易に且つコスト効率よく、光ファイバケーブルコンタクトへ光ファイバケーブルを接続することが可能となる。光ファイバケーブルコネクタに適した光ファイバケーブルコンタクトまたは既製品の光ファイバケーブルもまた、可能な限り迅速、簡易に且つコスト効率よく生産できる。
【００１０】
本発明の目的は請求項１に記載の光ファイバケーブルコンタクトによって達成される。本発明のさらなる目的は、本発明に係る請求項１１または１２に記載の光ファイバケーブルコンタクトを含む光ファイバケーブルコネクタおよび既製品の光ファイバケーブルによって達成される。
【００１１】
本発明に係る光ファイバケーブル用の光ファイバケーブルコンタクトは、長手方向の自由端部に、光ファイバケーブルコンタクト内または表面に１本の光ファイバまたは光ファイバケーブルの光ファイバ束を固定するための熱形成領域を備える。本発明において、熱バリア領域は、光ファイバケーブルコンタクトの長手方向において、熱形成領域へ接続される。熱バリア領域は、熱形成領域から光ファイバケーブルコンタクトの残部、すなわち光ファイバケーブルコンタクトのケース圧着領域の方向への熱形成過程の際の熱伝達を防止する。
【００１２】
熱バリア領域は、光ファイバケーブルコンタクトの熱形成領域と熱形成領域以外の部分との間に、光ファイバケーブルコンタクト内または上に備えられているので、コスト的に有利となる部品数の削減が可能となる。さらに、光ファイバケーブルコンタクトの残部への加熱量が減少するため、光ファイバケーブルの被覆材への損傷または破壊が防止される。結果として、熱形成領域がより迅速に形成温度へと熱せられるので、生産時間が削減される。
【００１３】
本発明の好適な実施形態において、光ファイバケーブルコンタクトは対称構造、特に回転対称構造および／または本質的に一体化された構造である。さらに光ファイバケーブルコンタクトは、金属または金属合金製の旋削部・鋳造部・曲げ部であると好適である。
【００１４】
本発明においては、上述の効果に加えていくつかの他の効果がある。光ファイバケーブルコンタクトが好適には一体化されているので、より安く生産し、且つ
より迅速に製造でき、コスト効果が生じる。さらに、光ファイバケーブルコンタクトは、好適には回転対称であり、好適にはアンダーカットもない場合、生産時間が短縮するという結果となる。特に、生産時間は、光ファイバケーブルコンタクトが旋削や鋳造品として生産されると削減される。
【００１５】
本発明に係る実施形態において、光ファイバケーブルコンタクトは、自走者産業に用いられるＭＯＳＴ（Ｍｅｄｉａ  Ｏｒｉｅｎｔｅｄ  Ｓｙｓｔｅｍｓ  Ｔｒａｎｓｐｏｒｔ）規格と互換できるように構成されている。この場合、光ファイバケーブルコンタクトがＭＯＳＴ規格と同様の外形を備えると十分である。この外形のタイプを用いることによって、ＭＯＳＴ製品ファミリーのハウジングがアクセス可能となる。それによって、光ファイバケーブルコンタクトがそれぞれのハウジング内で取り外し可能なように、第一ロックおよび第二ロック装置（コンタクトロック）の両方を用いることが可能である。
【００１６】
本発明の実施形態において、熱バリア領域は、光ファイバケーブルコンタクト上または内で、直接的に熱形成領域に接続される。結果として、光ファイバケーブルコンタクトの加熱を、熱形成領域に限定または殆ど限定した形成温度に限定することが可能である。特に、光ファイバ束と光ファイバケーブルコンタクトのしっかりとした接続とするための生産サイクル時間の減少が可能である。さらに、本発明に係る好適な実施形態において、熱バリア領域は、固定領域、すなわちケース圧着領域から離れて配置されている。熱バリア領域は、光ファイバケーブルコンタクト内での熱伝導を可能な限りなくすので、効果的に被覆材への損傷を防ぐ。
【００１７】
本発明に係る実施形態において、熱バリア領域は、光ファイバケーブルコンタクト上または内の通路または溝として構成されている。通路または溝は、少なくとも部分的に（特に好適には全体的に）光ファイバケーブルコンタクトを取り囲むと好適である。さらに好適には、通路または溝の端部が互いに結合されること、すなわち、光ファイバケーブルコンタクト内に螺旋状に備えられないことである。剛性的には、溝の螺旋状の構成が可能であるが、螺旋状が一周よりも多く光ファイバケーブルコンタクトを取り巻くのであれば好適である。本発明に係る熱バリア領域の構成は、光ファイバケーブルコンタクト上または内の円環溝である。それにより、簡易かつ材料削減の光ファイバケーブルコンタクトの実施が可能であり、光ファイバケーブルコンタクトが一体化もされる。
【００１８】
本発明に係る実施形態において、円環状のカラーが、熱形成領域と熱バリア領域との間に配置される。このカラーの径は、好適には、熱形成領域と熱バリア領域から離れた領域の光ファイバケーブルコンタクトの一部の径と同じサイズである。結果的に、一方で、光ファイバケーブルコンタクトは、ハウジング内の所定位置に固定される。他方で、以下に示すように、スリーブを光ファイバケーブルコンタクト上へ実装することが容易となる。
【００１９】
本発明においては、光ファイバケーブルコンタクト上または内に、１以上の熱バリア領域を形成し、備えることが可能である。光ファイバケーブルコンタクトの外部さらには内部にさえ熱バリア領域を備えることも可能である。好適には、熱バリア領域は、光ファイバケーブルコンタクトの熱形成領域とケース圧着領域との間に備えられる。この場合、好適には、形と要求事項により、熱バリア領域は、光ファイバケーブルコンタクト上または内の可能な限り熱形成領域の近くであって、ケース圧着領域から可能な限り遠くに備えられる。しかしながら、本発明に係る実施形態においても、構造的および／または生産的条件のために、必要であれば、ケース圧着領域の方向に熱バリア領域を形成することも可能である。
【００２０】
一方で、本発明は、熱形成領域が熱形成される際に、光ファイバケーブルコンタクトの残部が過熱状態とならない程度まで、光ファイバケーブルコンタクトの断面を小さくし、すなわち、熱バリア領域の領域内壁厚を減少させる。他方で、光ファイバケーブルコンタクトが熱形成中、前、その後の生産中、使用中に損傷を受けることができないようにして、熱バリア領域が光ファイバケーブルコンタクトを弱めないようにする。
【００２１】
本発明に係る光ファイバケーブルコンタクトは、光ファイバケーブルピンコンタクトとして好適である。形成された熱形成領域をスリーブで取り囲むことで、光ファイバケーブルソケットコンタクトが生産される。すなわちハウジング（好適にはプラスチック材料ハウジング）内に光ファイバケーブルコンタクト、光ファイバケーブルソケットコンタクトを設けることによって、光ファイバケーブルコネクタが生産される。本発明に係る光ファイバケーブルコンタクトまたは光ファイバケーブルコネクタおよび光ファイバケーブルが、本発明に係る既製の光ファイバケーブルを形成する。
【図面の簡単な説明】
【００２２】
【図１】図１は、円筒集合体のための熱形成工程後に、光ファイバコンタクトの長手軸に対して長手方向及び横方向に切断した断面図と、熱形成領域の領域にある光ファイバケーブルコンタクトに囲まれた状態の光ファイバ束の長手方向の端部の断面図である。
【図２】図２は、光ファイバコンタクトの熱形成領域が角柱状集合体で熱形成されている図１と同様の断面図である。
【図３】図３は、本発明に係る光ファイバ組立体前の光ファイバケーブルコンタクトの斜視図である。
【図４】図４は、本発明に係る、光ファイバケーブルの組立後、光ファイバケーブルコンタクトの端面形成をした後の光ファイバケーブルコンタクトの斜視図である。
【図５】図５は、本発明に係るハウジングの部分と共に光ファイバケーブルコネクタの長手軸に沿った断面図である。
【図６】図６は、本発明に係る光ファイバケーブルコネクタの長手軸に沿った断面図である。
【発明を実施するための形態】
【００２３】
本発明は、以下に図面を参照して実施形態により詳細に説明される。本発明は、光ファイバケーブルコンタクトが、ＭＯＳＴ（Media Oriented Systems Transport)規格と互換性がある光ファイバケーブルコネクタを参照して、以下より詳細に説明される。換言すれば、光ファイバケーブルコンタクトは、光ファイバを経由する連続バスシステムへ伝送されるオーディオ・ビデオ・音声およびデータ信号を含めて自動車内、特にマルチメディアアプリケーション用の光連結器に利用される。しかし、本発明は、そのようなアプリケーションに限定されるものではなく、光ファイバケーブルのための、一般的なコンタクト、接触・接着システム、コネクタとこれら類似についても含むものである。本発明の場合、光ファイバケーブルは、単一の光ファイバ、または、マルチコア光ファイバとして知られている光ファイバ束をも含む。
【００２４】
光ファイバケーブルコンタクト１と光ファイバケーブル２（図４参照）の光ファイバ束２００の間に光ファイバ終端部を形成するための熱形成工程が、図１および２を参照してより詳細に説明される。この場合、図１および２は、光ファイバ終端の状態を示している。光ファイバ束２００の柔軟な個々のファイバは、小型の集合体を形成するために互いに堅牢に接触している。以下、光ファイバ束２００の言葉は、個々の光ファイバ２００の概念を含むものである。
【００２５】
被覆材２１０（図４参照）から長手自由端部で自由である光ファイバケーブル２は、光ファイバケーブルコンタクト１の内部穴（図５および６参照）内へ後ろから挿入される。自由な光ファイバ束２００は、光ファイバケーブルコンタクト１の熱形成領域１００内へぴったりと挿入される。熱形成領域１００や光ファイバケーブルコンタクト１は、光ファイバ束２００の形成温度に対する、十分な熱抵抗性を備えている。
【００２６】
熱形成領域１００への自由な光ファイバ束２００へ通し、移動を容易にするために、光ファイバケーブルコンタクト１は、内部中央部材中にある僅かに狭まった外形部を備える。対照的に、両サイド（熱形成領域１００とケース圧着領域１４０）に配置された２つの長手方向端部において、光ファイバケーブルコンタクト１は、好適には、熱形成領域１００の領域よりもケース圧着領域１４０の領域の方が大きい一定の内径を備える。
【００２７】
熱形成領域１００と光ファイバ束２００の長手自由端部に形成される、集合体を形成するために、熱形成領域１００や光ファイバケーブルコンタクト１は、機械的な圧着装置内へ挿入され、ゆえに軸方向および／または半径方向に保持される。その後、熱形成領域１００は、挿入された光ファイバ束２００とともに、光ファイバ束２００の光ファイバ形成温度まで熱せられる。この場合、熱形成領域１００は、端面および／または側面で熱形成領域１００と係合可能な形成ツールによって好適に熱せられる。
【００２８】
結果として、熱せられた自由端部は、環状の断面（図１参照）または六角形の断面（図２参照）を備える集合体を形成するために、光ファイバ束２００の光ファイバの変形の間に、熱形成領域１００の領域内で変形されている。この場合、熱形成領域１００や光ファイバケーブルコンタクト１の外形も、熱形成領域１００や光ファイバ束２００で形成された円筒状の集合体（図１参照）または角柱状の集合体（図２参照）となるように対応して変形される。
【００２９】
続いて、光ファイバ束２００の変形された長手端部や光ファイバケーブルコンタクト１は、好ましくは、熱形成領域１００の近くの形成ツールと共に、冷却される。十分な冷却後、光ファイバケーブルコンタクト１は、コンタクトの熱形成領域１００に配置された光ファイバ束２００で形成されている。図示されたものより、光ファイバケーブルコンタクト１および光ファイバ束２００の他の正面から見た断面を形成するための熱形成工程を使用することが可能である。
【００３０】
その後、光ファイバケーブルコンタクト１の端面１０１または光ファイバ束２００の端面２０２は、機械加工され、ゆえに所定の長さとされる。光ファイバケーブルコンタクト１の所定の長さは、ハウジング３（図５参照）内にコンタクト用の十分なスペースがあるように、またはコンタクトが、手段または装置のレセプタクルの中に、または相手プラグのハウジング３の中に十分に挿入可能なようにすることが必要である。
【００３１】
高温は、光ファイバ束２００の加工のために必要である。熱形成領域１００や光ファイバ束２００の両方は、光ファイバの形成温度まで熱せられる。過剰な熱が光ファイバケーブルコンタクト１の残部へ伝達または流れることを打ち消すように、光ファイバケーブルコンタクト１の適切な位置に、熱バリア領域１１０が備えられている。
【００３２】
一方で、熱バリア領域１１０は、エネルギーと生産時間が浪費されないように光ファイバケーブルコンタクト１の全体が形成工程中に形成温度まで熱せられないことを保証する。他方で、熱バリア領域１１０は、光ファイバケーブルコンタクト１のケース圧着領域１４０に圧着可能である光ファイバケーブル２の被覆材２１０が熱形成工程中に損傷を受けない（すなわち、溶融しない）ことを保証する。
【００３３】
この場合、被覆材２１０は、形成工程の前後に、ケース圧着領域１４０を圧着することによって、光ファイバ束２００と光ファイバケーブルコンタクト１の内面間に保持され、固定される。
【００３４】
図３および４に示されるように、本実施形態において、熱形成、すなわち熱作用領域１００は、光ファイバケーブルコンタクト１の長手方向の自由端部１０に備えられる。長手方向の自由端部１０は、長手方向の自由端部１０から遠くに離されて配置されている中央領域１１、すなわち光ファイバケーブルコンタクト１の領域１１に接続される。任意であるが、中央領域１１は、光ファイバケーブルコンタクト１の長手方向Ｌで長手方向の自由端部１０と重複してもよい。その後、光ファイバケーブルコンタクト１のハウジング圧着領域１４０は、長手方向の自由端部１０が接続される中央領域１１の反対側で、好適には長手方向Ｌで中央領域１１に接続される。
【００３５】
熱バリア領域１１０は、好適には光ファイバケーブルコンタクト１の中央領域１１の外側で熱形成領域１００へ近接して、特には直接的に近接して備えられている。本実施形態において、熱形成領域１００は、光ファイバケーブルコンタクト１の長手方向の前端部で熱バリア領域１１０に近接して備えられている。前肩部すなわち前カラー１１２は、好適には熱バリア領域１１０と熱形成領域１００との間に配置されている。
【００３６】
本実施形態において、熱バリア領域１１０は、少なくとも部分的には、光ファイバケーブルコンタクト１を取り囲む熱停止溝すなわち熱停止通路として構成され、好適には対称または回転対称であるように構成される。換言すれば、図５に示されるように熱バリア領域１１０の領域の少なくとも部分（Ｄ−ｄ）で、光ファイバケーブルコンタクト１の周囲壁の厚さが減少する。
【００３７】
好適には、光ファイバケーブルコンタクト１の壁厚は、熱バリア領域１１０に直接的に近接した領域で、光ファイバケーブルコンタクト１の壁厚Ｄよりも熱バリア領域１１０の領域で、約１５〜８５％、特には約２５〜７５％小さい。光ファイバケーブルコンタクト１の機械的負荷を考慮すると、熱バリア領域１１０の領域で溝を形成するために取り除かれた材料の量には限界がある。熱バリア領域１１０が周囲の溝として形成されていると、後肩部１１４、すなわち後カラー１１４が必要とされる。後カラーの直径Ｄは、好適には前カラー１１２の直径Ｄに対応する。
【００３８】
後肩部１１４、すなわち後カラー１１４のさらに後部には、光ファイバケーブルコンタクト１の長手方向Ｌで、熱バリア領域１１０から離れて、一次ロック領域１２０と、装着される光ファイバケーブルコンタクト１の第二ロック領域１３０がある。この場合、それぞれのロック領域１２０、１３０が、少なくとも部分的に周囲のロック肩、すなわち少なくとも部分的に周囲のロックカラーとして構成されていると好適である。一次ロック領域１２０と第二ロック領域１３０のロック要素３２０、３３０は、図５に図示されている。
【００３９】
ハウジング圧着領域１４０は、さらに光ファイバケーブルコンタクト１の長手方向Ｌに沿って、第二ロック領域１３０に装着される。好適には、ハウジング圧着領域１４０の領域で、肩すなわちカラーを含む光ファイバケーブルコンタクト１は、一定の外径を備える。外径は、好適には第一ロック領域１２０と第二ロック領域１３０の両方の外径に対応する。
【００４０】
光ファイバケーブルコンタクト１の構成だけでなく、光ファイバケーブルコンタクト１の領域１００、１１０、１２０、１３０、１４０は、長手方向の自由端部１０および中央領域１１の領域で、ハウジング３の構成に依存して配置されている。
【００４１】
図４は、仕上げ処理後に光ファイバケーブルコンタクト１に装着される光ファイバケーブル２と光ファイバケーブルコンタクト１を示している。切断と研磨作業の両方は、区画された光端面１０２、２０２を仕上げ処理する。熱形成領域１００の形成工程と、光ファイバケーブルコンタクト１のハウジング圧着領域１４０の図示しない圧着の後、光ファイバケーブルコンタクト１は、図５の部分断面図で示されるように、ハウジング３（特にプラスチック材料ハウジング３）内へ挿入される。
【００４２】
図５は、長手方向Ｌで切断され、ハウジング３の上面にロックされた光ファイバケーブルコンタクト１の断面図である。この場合、光ファイバケーブルコンタクト１は、ハウジング３内で、第一ロック要素３２０および第二ロック要素３３０でロックされている。第一ロック要素３２０は、ハウジングと一部材又は一体のハウジング内のラッチとして、構成されている。第二ロック要素３３０は、好適には、ハウジング３内へ外部から挿入されるコンタクトロック３３０である。一体ラッチ３２０または外部コンタクトロック３３０として、第一ロック要素３２０および第二ロック要素３３０の各々を構成すること、および機能を交換することが可能である。停止肩や同様なものは、ノッチ３２０の代わりに用いられてもよい。
【００４３】
図５にも、第二の熱バリア領域（１１０）を示す。この場合、この第二の熱バリア領域（１１０）が任意であることを示すために括弧内に配置された参照番号を用いている。この場合、第二の熱バリア領域（１１０）は、ケース圧着領域１４０と熱形成領域１００間、またはケース圧着領域１４０と熱バリア領域１１０間に備えられている。さらに、個別領域１００、１１０、１２０、１３０、１４０および部材１１２、１１４の分布は、中括弧で図５に示されている。この場合、それぞれの領域１００、１１０、１２０、１３０、１４０および部材１１２、１１４は領域内で重複してもよい。さらに、図５の破線は、第一熱バリア領域１１０で見ることが可能である。
【００４４】
図６は、本発明の２つの別の実施形態を示している。光ファイバケーブルソケットコンタクト１は、図３〜５の光ファイバケーブルコンタクト１から製造される。この目的のために、スリーブ１５０は、光ファイバケーブルコンタクト１の長手方向の自由端部１０上にスライドさせられ、長手方向の自由端部１０上で固定される。その工程で、スリーブ１５０は、好適には第一ロック領域１２０のカラーに当接する。この場合、カラー１１２とカラー１１４とが同じ径Ｄ(図５参照）を有すると好適である。スリーブ１５０は、端面１０２、２０２が光ファイバケーブルソケットコンタクト１内に配置されているようにして、光ファイバケーブルコンタクト１の自由端部を超えて延びている。
【００４５】
図６は、内部に配置され、光ファイバケーブルコンタクト１内で完結し、以上に示したように構成することもできる熱バリア領域（１１０）を示す。熱バリア領域（１１０）は、参照番号が括弧で与えられるように任意である。外部に熱バリア領域（１１０）を備えず、内部に配置される単一の熱バリア領域（１１０）だけを備えることが可能である。
【００４６】
本発明によれば、光ファイバケーブルコンタクト１の多くの実施形態が可能である。光ファイバケーブルコンタクト１は、旋削部、鋳造部や曲げ部で有ることが好適な、好適には対称的であり、特には回転対称的である要素である。光ファイバケーブルコンタクト１は、好適には一体的に、特には材料的に一体的に構成されている。さらに、被覆部材２１０は、４ジョータイプの圧着によって圧着される。本発明に係る非対称のまたは複数部材の光ファイバケーブルコンタクト１を製造することも可能である。さらに４ジョータイプの圧着ではない他のタイプの圧着も用いられてもよい。
【符号の説明】
【００４７】
１・・・光ファイバケーブルコンタクト１
２・・・光ファイバケーブル
１０・・・自由端部
１１・・・中央領域
１００・・・熱形成領域
１１０・・・熱バリア領域
【図１】
2011503655.tif 000003
【図２】
2011503655.tif 000004
【図３】
2011503655.tif 000005
【図４】
2011503655.tif 000006
【図５】
2011503655.tif 000007
【図６】
2011503655.tif 000008
【国際調査報告】
2011503655.tif 000009
2011503655.tif 000010
2011503655.tif 000011